(57)【要約】      （修正有）【課題】特に二重のロック手段を有し、手或いは脚によりゲート本体を開けることができるセーフティーゲートを提供する。【解決手段】ゲート本体の底部に、連動ロッド１４及び押圧ブロック１４１を具備するペダル部材１６が設けられる。連動ロッド１４と対応する位置に、進退係合ロッド２６が設置され、該進退係合ロッド２６の一端に伝達ロッド２５が設置されると共に、その伝達ロッド２５の他端に押圧部材２７が設けられ、ゲート本体１０の上側内部における、係合溝２１と対応する位置に進退係合ロッド１７が収容される収容部材１９が設けられ、該収容部材１９の内部における進退係合ロッド１７の内側端に弾性部材１８が設けられ、更に、収容部材１９の上面にスイッチ２３が設けられると共に、底面に傾斜部を有する溝部が形成されることを特徴とする。【選択図】図３
2005146730.tif 000002
【特許請求の範囲】
【請求項１】
両側の上下部がそれぞれ固設されるゲート本体（１０）を有し、そのゲート本体（１０）の一側に設けられる固定ロッド（１３）の上部に固定ブロック（２０）が設けられると共に、固定ブロック（２０）の内側に係合溝（２１）が形成されるセーフティーゲートにおいて、
ゲート本体（１０）の底部に底座（１１）が設けられ、前記固定ロッド（１３）は底座（１１）の一側から上方へ向って伸び、その固定ロッド（１３）の底部且つ底座（１１）の上面に、凹溝（１２）と傾斜部（１４２）が形成される連動ロッド（１４）及び押圧ブロック（１４１）を具備するペダル部材（１６）が設けられ、
ゲート本体（１０）におけるドアロッド（３３）内の底部の、連動ロッド（１４）と対応する位置に、一端が収容部材（２８）に設けられ、他端が外部へ突出する進退係合ロッド（２６）が設置され、該進退係合ロッド（２６）の一端に伝達ロッド（２５）が設置されると共に、その伝達ロッド（２５）の他端に押圧部材（２７）が設けられ、
ゲート本体（１０）の上側内部における、係合溝（２１）と対応する位置に進退係合ロッド（１７）が収容される収容部材（１９）が設けられると共に、該収容部材（１９）の内部における進退係合ロッド（１７）の内側端に弾性部材（１８）が設けられ、更に、収容部材（１９）の上面にスイッチ（２３）が設けられると共に、底面に傾斜部（１９２）を有する溝部（１９１）が形成され、その収容部材（１９）が収容されているゲート本体（１０）の上部及び側部の一部はカバー体（２２）により覆われることを特徴とするセーフティーゲート。
【請求項２】
前記ゲート本体（１０）の下部における、ペダル部材（１６）の連動ロッド（１４）上における凹溝（１２）と対応する位置に係合ロッド（３０）が設けられると共に、ゲート本体（１０）の下部内側に係合ロッド（３０）の一部が収容可能な収容空間（３２）が形成され、更に、前記ゲート本体（１０）のドアロッド（３３）内における外部へ突出可能な進退係合ロッド（２６）は、連動ロッド（１４）上の平坦部と対応していることを特徴とする請求項１に記載のセーフティーゲート。
【請求項３】
ペダル部材（１６）の下部には固定ロッド（１３）の底部に枢設される押圧ブロック（１４１）が設けられると共に、その押圧ブロック（１４１）には連動ロッド（１４）が枢設され、更に、その連動ロッド（１４）の一側は底座（１１）の外側に位置すると共に、他側は底座（１１）の上面に位置し、その底座（１１）と押圧ブロック（１４１）及び連動ロッド（１４）との間には弾性部材（１５）が組合わされることを特徴とする請求項１又は２に記載のセーフティーゲート。
【発明の詳細な説明】
【技術分野】
【０００１】
本発明は、特に二重のロック手段を有し、手或いは脚によりゲート本体を開けることができるセーフティーゲートに関するものである。
【背景技術】
【０００２】
通常、セーフティーゲートは階段の降り口や部屋の出入り口などに取付けることにより子供を阻止して、子供を怪我などから守るものである。
【０００３】
また、図８及び図９に示すように、従来のセーフティーゲートはゲート（６０）を有し、ゲート（６０）の一側上下位置にそれぞれ内側へ進入可能な上、下部係合ロッド（６２，６１）が設けられ、その外側に固定ロッド（７０）が立設され、固定ロッド（７０）の下方に固定ロッド（７０）内の牽引ロッド（７４）により固定ロッド（７０）の上方に設けられる摺動ブロック（８０）を下方へ引張ることができるペダル部材（７１）が設けられ、ペダル部材（７１）の一側における、下部係合ロッド（６１）と対応する位置に係合溝（７２）が形成され、係合溝（７２）の上側に外側へ向って湾曲するＲ面（７３）が設けられる。
【０００４】
更に、前記摺動ブロック（８０）の一側における、上部係合ロッド（６２）と対応する位置に係合溝（８１）が形成され、その係合溝（８１）の上側に外側へ向って湾曲するＲ面（８２）が設けられる。
【発明の開示】
【発明が解決しようとする課題】
【０００５】
しかし、上記従来のセーフティーゲートの構成では、実際に使用する時に以下のような問題を有する。  
セーフティーゲートを操作してゲート本体（６０）を開ける時は、脚によりペダル部材（７１）を踏み込んでＲ面（７３，８２）を共に下方へ移動させることにより、下部係合ロッド（６１）及び上部係合ロッド（６２）を内側へ進入させてロックを解除し、ゲート本体（６０）を開けなければならないので、場合によっては非常に不便である。
【課題を解決するための手段】
【０００６】
本発明は、  
両側の上下部がそれぞれ固設されるゲート本体（１０）を有し、そのゲート本体（１０）の一側に設けられる固定ロッド（１３）の上部に固定ブロック（２０）が設けられると共に、固定ブロック（２０）の内側に係合溝（２１）が形成されるセーフティーゲートにおいて、  
ゲート本体（１０）の底部に底座（１１）が設けられ、前記固定ロッド（１３）は底座（１１）の一側から上方へ向って伸び、その固定ロッド（１３）の底部且つ底座（１１）の上面に、凹溝（１２）と傾斜部（１４２）が形成される連動ロッド（１４）及び押圧ブロック（１４１）を具備するペダル部材（１６）が設けられ  、
ゲート本体（１０）におけるドアロッド（３３）内の底部の、連動ロッド（１４）と対応する位置に、一端が収容部材（２８）に設けられ、他端が外部へ突出する進退係合ロッド（２６）が設置され、該進退係合ロッド（２６）の一端に伝達ロッド（２５）が設置されると共に、その伝達ロッド（２５）の他端に押圧部材（２７）が設けられ、  
ゲート本体（１０）の上側内部における、係合溝（２１）と対応する位置に進退係合ロッド（１７）が収容される収容部材（１９）が設けられると共に、該収容部材（１９）の内部における進退係合ロッド（１７）の内側端に弾性部材（１８）が設けられ、更に、収容部材（１９）の上面にスイッチ（２３）が設けられると共に、底面に傾斜部（１９２）を有する溝部（１９１）が形成され、その収容部材（１９）が収容されているゲート本体（１０）の上部及び側部の一部はカバー体（２２）により覆われることを特徴とするセーフティーゲート、を提供する。
【発明の効果】
【０００７】
本発明は上記の構成を有するので、二重のロック手段である、ゲート本体の一側下方に設けられるペダル部材を脚により踏み込んで連動ロッドでゲート本体を押し上げて、ロックを解除し、ゲート本体を開ける、或いは、スイッチを操作してゲート本体を手により直接持ち上げるだけで、ロックを解除してゲート本体を開けることができる。故に、操作が非常に簡単であると共に、安全性も高い。
【発明を実施するための最良の形態】
【０００８】
以下、添付図面を参照して本発明の好適な実施の形態を詳細に説明する。
【０００９】
図１は本発明に係るセーフティーゲートの正面図であり、図２は本発明に係るセーフティーゲートの開放状態を示す斜視図であり、図３は本発明に係るセーフティーゲートの分解斜視図であり、図４は本発明に係るセーフティーゲートの上部における進退係合ロッド周辺の構成を示す一部正面断面図であり、図５は本発明に係るセーフティーゲートの上部における進退係合ロッドをスイッチにより解除した状態を示す一部正面断面図であり、図６は本発明に係るセーフティーゲートの下部におけるペダル部材の踏み込み方向を示す一部正面断面図であり、図７は本発明に係るセーフティーゲートの下部におけるペダル部材を踏み込んで、進退係合ロッド及び係合ロッドを解除した状態を示す正面断面図である。
【００１０】
図１及び図２に示すように、本発明のセーフティーゲートは両側上下位置を階段の降り口や部屋の出入り口などに設置すると共に、ゲート本体（１０）の一側を枢結して、ゲート本体（１０）の開閉を行なうものである。
【００１１】
また、本発明のセーフティーゲートの構造は、図中にも示すように、ゲート本体（１０）の底部に底座（１１）が設けられ、底座（１１）の一側から上方へ向って伸びる固定ロッド（１３）の底部且つ底座（１１）の上面にペダル部材（１６）が設けられ、そのペダル部材（１６）の下部には固定ロッド（１３）の底部に枢設される押圧ブロック（１４１）が設けられると共に、押圧ブロック（１４１）の下部には該押圧ブロック（１４１）及び底座（１１）に枢設され、凹溝（１２）及び傾斜部（１４２）を有する連動ロッド（１４）が設けられる。そして、連動ロッド（１４）の一端はゲート本体（１０）の底部外側に位置し、底座（１１）と連動ロッド（１４）及び押圧ブロック（１４１）との間には、例えばスプリングなどの弾性部材（１５）が組合わされる。
【００１２】
図３乃至図５に示すように、前記固定ロッド（１３）の上端に固定ブロック（２０）が設けられると共に、固定ブロック（２０）における、固定ロッド（１３）の内側に係合溝（２１）が形成される。
【００１３】
更に、前記ゲート本体（１０）の上部における、係合溝（２１）と対応する位置に収容部材（１９）へ退くことができる進退係合ロッド（１７）が設けられると共に、ゲート本体（１０）の内部における進退係合ロッド（１７）の内側端に、例えば、スプリングなどの弾性部材（１８）が設けられ、その収容部材（１９）が収容されているゲート本体（１０）の上部及び側部の一部はカバー体（２２）により覆われる。また、図６及び図７に示すように、ゲート本体（１０）の下部における、凹溝（１２）と対応する位置に、底部に丸み部（３０１）を有する係合ロッド（３０）が設けられると共に、ゲート本体（１０）の下部内側にＴ形ブロック（３１）が設けられ、そのＴ形ブロック（３１）の内部に係合ロッド（３０）の一部が収容可能である収容空間（３２）が形成される。
【００１４】
図６及び図７に示すように、本発明のセーフティーゲートを使用する場合は、ゲート本体（１０）の一側下方に設けられるペダル部材（１６）を脚により踏み込んで押圧ブロック（１４１）に連動させて連動ロッド（１４）をペダル部材（１６）の反対側へ移動させる。これにより、係合ロッド（３０）は凹溝（１２）から外れて開放状態となり、進退係合ロッド（２６）は傾斜部（１４２）により押し上げられる。そして、進退係合ロッド（２６）が押し上げられると、ドアロッド（３３）内の伝達ロッド（２５）が連動して押し上げられ、伝達ロッド（２５）の末端の押圧部材（２７）が溝部（１９１）における傾斜部（１９２）を押圧し、収容部材（１９）を内部側へ移動させ、進退係合ロッド（１７）を内部へ退かせる。これによって、全てのロックを解除し、ゲート本体（１０）を開ける。或いは、図５に示すように、ゲート本体（１０）を手により直接持ち上げて下部における係合ロッド（３０）を凹溝（１２）から解除すると共に、収容部材（１９）におけるスイッチ（２３）を開放状態にすることにより、上部の進退係合ロッド（１７）のロックを解除してゲート本体（１０）を開ける。しかし、手によりゲート本体（１０）を持ち上げる時には適当な抵抗力が加わるように設計されているので、子供などの力ではゲート本体（１０）が開かないように設計されている。また、ゲート本体（１０）を開ける時は、上述したように、単に手或いは脚により、二重のロック手段である、係合ロッド（３０）の底部の凹溝（１２）に対するロック状態、及び上部における進退係合ロッド（１７）の係合溝（２１）に対するロック状態を解除するだけで、ゲート本体（１０）を開けることができるので、操作が非常に簡単であると共に、安全性も高い。
【００１５】
また、前記ゲート本体（１０）の上部に開放バンド（４０）が設けられるので、それを所定の位置に嵌め込めばドアを開放したままの状態とすることができる。更に、本発明ではドアの開閉を行なう枢軸(４１，４２)の外側を共に傾斜状にして組合わせることにより、ドアを開けた後、自動的に閉じるようにしてある。これにより、ドアの閉め忘れなどがなくなるので、より安全性を高めることができる。
【００１６】
尚、上述の図１乃至図７に示すセーフティーゲートは単に本発明の一部の形態を示したものであり、本明細書に示す主張の範囲内であれば如何なる形態に構成させてもよく、また、容易に想到し得る範囲内であれば、当然本発明の主張範囲に属することは言うまでもない。
【図面の簡単な説明】
【００１７】
【図１】本発明に係るセーフティーゲートの正面図である。
【図２】本発明に係るセーフティーゲートの開放状態を示す斜視図である。
【図３】本発明に係るセーフティーゲートの分解斜視図である。
【図４】本発明に係るセーフティーゲートの上部における進退係合ロッド周辺の構成を示す一部正面断面図である。
【図５】本発明に係るセーフティーゲートの上部における進退係合ロッドをスイッチにより解除した状態を示す一部正面断面図である。
【図６】本発明に係るセーフティーゲートの下部におけるペダル部材の踏み込み方向を示す一部正面断面図である。
【図７】本発明に係るセーフティーゲートの下部におけるペダル部材を踏み込んで、進退係合ロッド及び係合ロッドを解除した状態を示す正面断面図である。
【図８】従来のセーフティーゲートの使用状態を示す正面図である。
【図９】従来のセーフティーゲートをロック状態にした場合の一部正面断面図である。
【符号の説明】
【００１８】
１０        ゲート本体
１１        底座
１２        凹溝
１３        固定ロッド
１４        連動ロッド
１４１        押圧ブロック
１４２        傾斜部
１５        弾性部材
１６        ペダル部材
１７        進退係合ロッド
１８        弾性部材
１９        収容部材
１９１        溝部
１９２        傾斜部
２０        固定ブロック
２１        係合溝
２２        カバー体
２３        スイッチ
２５        伝達ロッド
２６        進退係合ロッド
２７        押圧部材
２８        収容部材
３０        係合ロッド
３０１        丸み部
３１        Ｔ形ブロック
３２        収容空間
３３        ドアロッド
４０        開放バンド
４１，４２        枢軸
６０        ゲート本体
６１        下部係合ロッド
６２        上部係合ロッド
７０        固定ロッド
７１        ペダル部材
７２        係合溝
７３        Ｒ面
７４        牽引ロッド
８０        摺動ブロック
８１        係合溝
８２        Ｒ面
【図１】
2005146730.tif 000003
【図２】
2005146730.tif 000004
【図３】
2005146730.tif 000005
【図４】
2005146730.tif 000006
【図５】
2005146730.tif 000007
【図６】
2005146730.tif 000008
【図７】
2005146730.tif 000009
【図８】
2005146730.tif 000010
【図９】
2005146730.tif 000011